【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
電力の供給が制限される電力制限状態と電力が供給される起動状態とを有する第１記憶手段と、
前記第１記憶手段よりもアクセス速度が高速な第２記憶手段と、
前記第２記憶手段にデータを格納可能な残りの記憶容量に基づいて、前記第２記憶手段に格納されたデータを前記第１記憶手段に格納する必要があるか否かを判定する判定手段と、
前記第２記憶手段に対してデータを格納可能な状態において前記第１記憶手段を前記電力制限状態とし、前記第１記憶手段が前記電力制限状態にある間に、前記第２記憶手段に格納されたデータを前記第１記憶手段に格納する必要があると前記判定手段によって判定されると、前記第１記憶手段を前記電力制限状態から前記起動状態に切り替える制御手段と、
を備えることを特徴とする情報処理装置。
【請求項２】
前記判定手段は、前記残りの記憶容量が所定の閾値以下ではない場合には、前記第２記憶手段に格納されたデータを前記第１記憶手段に格納する必要がないと判定し、前記残りの記憶容量が前記所定の閾値以下であり、かつ、記憶手段へのデータの書き込み要求が発生した場合には、前記第２記憶手段に格納されたデータを前記第１記憶手段に格納する必要があると判定する
ことを特徴とする請求項１に記載の情報処理装置。
【請求項３】
前記制御手段は、
記憶手段へのデータの書き込み要求が発生すると、当該データの種類及びサイズに基づいて、前記第１記憶手段及び前記第２記憶手段から当該データの格納先を選択する選択手段と、
前記選択手段によって選択された記憶手段に、前記書き込み要求の対象データを格納する格納手段と、を含む
ことを特徴とする請求項１または２に記載の情報処理装置。
【請求項４】
前記選択手段は、前記対象データの種類及びサイズに基づいて、当該対象データの格納先として前記第２記憶手段を優先して選択する
ことを特徴とする請求項３に記載の情報処理装置。
【請求項５】
前記選択手段は、前記対象データのサイズが所定のサイズより小さければ、当該対象データの格納先として前記第２記憶手段を選択する
ことを特徴とする請求項３または４に記載の情報処理装置。
【請求項６】
前記選択手段は、前記対象データが、アクセス頻度が高い種類のデータとして定められたデータであれば、当該対象データの格納先として前記第２記憶手段を選択する
ことを特徴とする請求項３から５のいずれか１項に記載の情報処理装置。
【請求項７】
前記アクセス頻度が高い種類のデータは、前記情報処理装置で実行されるジョブの種類に基づいて定められている
ことを特徴とする請求項６に記載の情報処理装置。
【請求項８】
前記アクセス頻度が高い種類のデータには、前記情報処理装置でジョブが実行されるごとに使用されるデータ、及び前記情報処理装置の設定データが含まれる
ことを特徴とする請求項６または７に記載の情報処理装置。
【請求項９】
前記格納手段は、前記第１記憶手段が前記電力制限状態にある間に、前記第１記憶手段が格納先として選択されたデータを前記第２記憶手段へ一時的に蓄積し、当該蓄積されたデータの量が所定の量に達したら、前記第１記憶手段を前記電力制限状態から前記起動状態に切り替えて、当該蓄積されたデータを前記第２記憶手段から前記第１記憶手段へ一括して移動させる
ことを特徴とする請求項３から８のいずれか１項に記載の情報処理装置。
【請求項１０】
前記制御手段は、
前記第１記憶手段が前記電力制限状態にある間に、前記第２記憶手段に格納されているデータのうちで、前記第１記憶手段へ退避するデータの候補を決定する決定手段と、
前記残りの記憶容量が所定の閾値以下になると、前記第１記憶手段を前記電力制限状態から前記起動状態に切り替えて、前記決定手段によって決定された退避候補のデータを、前記第２記憶手段から前記第１記憶手段へコピーするコピー手段と、
記憶手段へのデータの書き込み要求が発生すると、前記退避候補のデータを前記第２記憶手段から削除する削除手段と、を含む
ことを特徴とする請求項１から９のいずれか１項に記載の情報処理装置。
【請求項１１】
前記決定手段は、前記第２記憶手段に格納されている各データに対して、データの種類、データのサイズ、データへのアクセス頻度、及びデータへ最後のアクセスが発生してからの経過時間、の少なくとも１つに基づいて設定された優先度に従って、前記退避候補のデータを決定する
ことを特徴とする請求項１０に記載の情報処理装置。
【請求項１２】
前記コピー手段は、前記退避候補のデータを前記第１記憶手段へコピーする際に、前記第２記憶手段に格納されている前記退避候補のデータに対してフラグを設定し、
前記削除手段は、前記フラグが設定されているデータを前記第２記憶手段から削除する
ことを特徴とする請求項１０または１１に記載の情報処理装置。
【請求項１３】
前記第１記憶手段はＨＤＤであり、前記第２記憶手段はＳＳＤである
ことを特徴とする請求項１から１２のいずれか１項に記載の情報処理装置。
【請求項１４】
電力の供給が制限される電力制限状態と、電力が供給される起動状態とを有する第１記憶手段と、
前記第１記憶手段よりもアクセス速度が高速な第２記憶手段と、
前記第２記憶手段に対してデータを格納可能な状態において前記第１記憶手段を前記電力制限状態とし、前記第１記憶手段が前記電力制限状態にある間に前記第１記憶手段の残りの記憶容量が所定容量より少なくなるのに従って、前記第１記憶手段を前記電力制限状態から前記起動状態に切り替える制御手段と、を備え、
前記制御手段は、前記第１記憶手段が前記電力制限状態にあるときは、前記第２記憶手段に対してデータの書き込みを行い、前記第１記憶手段が前記起動状態へ切り替えられた後、前記第１記憶手段に対してデータの書き込みを行うよう、書き込み処理を制御する
ことを特徴とする情報処理装置。
【請求項１５】
電力の供給が制限される電力制限状態と電力が供給される起動状態とを有する第１記憶手段と、前記第１記憶手段よりもアクセス速度が高速な第２記憶手段と、を備える情報処理装置の制御方法であって、
前記第２記憶手段にデータを格納可能な残りの記憶容量に基づいて、前記第２記憶手段に格納されたデータを前記第１記憶手段に格納する必要があるか否かを判定する判定工程と、
前記第２記憶手段に対してデータを格納可能な状態において前記第１記憶手段を前記電力制限状態とし、前記第１記憶手段が前記電力制限状態にある間に、前記第２記憶手段に格納されたデータを前記第１記憶手段に格納する必要があると前記判定工程で判定されると、前記第１記憶手段を前記電力制限状態から前記起動状態に切り替える制御工程と、
を含むことを特徴とする情報処理装置の制御方法。
【請求項１６】
電力の供給が制限される電力制限状態と、電力が供給される起動状態とを有する第１記憶手段と、前記第１記憶手段よりもアクセス速度が高速な第２記憶手段と、を備える情報処理装置の制御方法であって、
前記第２記憶手段に対してデータを格納可能な状態において前記第１記憶手段を前記電力制限状態とし、前記第１記憶手段が前記電力制限状態にある間に前記第１記憶手段の残りの記憶容量が所定容量より少なくなるのに従って、前記第１記憶手段を前記電力制限状態から前記起動状態に切り替える工程と、
前記第１記憶手段が前記電力制限状態にあるときは、前記第２記憶手段に対してデータの書き込みを行い、前記第１記憶手段が前記起動状態へ切り替えられた後、前記第１記憶手段に対してデータの書き込みを行うよう、書き込み処理を制御する工程と、
を含むことを特徴とする情報処理装置の制御方法。
【請求項１７】
請求項１５または１６に記載の情報処理装置の制御方法の各工程をコンピュータに実行させるためのプログラム。
【手続補正２】
【補正対象書類名】明細書
【補正対象項目名】０００７
【補正方法】変更
【補正の内容】
【０００７】
本発明は、例えば、情報処理装置として実現できる。本発明の一態様に係る情報処理装置は、電力の供給が制限される電力制限状態と電力が供給される起動状態とを有する第１記憶手段と、前記第１記憶手段よりもアクセス速度が高速な第２記憶手段と、前記第２記憶手段にデータを格納可能な残りの記憶容量に基づいて、前記第２記憶手段に格納されたデータを前記第１記憶手段に格納する必要があるか否かを判定する判定手段と、前記第２記憶手段に対してデータを格納可能な状態において前記第１記憶手段を前記電力制限状態とし、前記第１記憶手段が前記電力制限状態にある間に、前記第２記憶手段に格納されたデータを前記第１記憶手段に格納する必要があると前記判定手段によって判定されると、前記第１記憶手段を前記電力制限状態から前記起動状態に切り替える制御手段と、を備えることを特徴とする。
【手続補正３】
【補正対象書類名】明細書
【補正対象項目名】００５６
【補正方法】変更
【補正の内容】
【００５６】
本実施形態では、ディスクコントローラ２０６は更に、ＨＤＤ６がスリープ状態にある間に、ＨＤＤ６が格納先として選択されたデータをＳＳＤ２０７へ一時的に蓄積してもよい。その場合、ディスクコントローラ２０６は、ＳＳＤ２０７に蓄積されたデータの量が所定の量に達したら、ＨＤＤ６をスリープ状態から起動状態に切り替えて、当該蓄積されたデータをＳＳＤ２０７からＨＤＤ６へ一括して移動させてもよい（図３の３０４）。この所定の量は、例えば、ＳＳＤ２０７の総記憶容量の１０％、または、ＳＳＤ２０７の残りの記憶容量の２０％等に予め定められる。このような書き込み制御によれば、ＨＤＤ６をスリープ状態から起動（復帰）させる回数を更に抑えることが可能になる。